(57)【要約】【課題】循環トナーと補給トナーとの混合性が良好で、それだけ画像濃度ムラや地肌カブリなどの画像ノイズの発生を抑制できる現像剤循環方式の現像装置及びこの現像装置を搭載した画像形成装置を提供する。【解決手段】現像部１でスクリューコンベア１１により現像剤を現像に供しつつ、そこでの余剰トナーをバッファ部２でスクリューコンベア２１にて循環させる現像装置Ｄ（又はＤ’）であり、コンベア１１、１２間の隔壁３の、コンベア２１から１１への開口部３２に、循環トナーをバッファ部２に溜めて補給トナーとの混合を促すように該開口部での現像剤通過流量を制御する流量制御部材（弁体５又はシャッター部材５１）を設けた現像装置。かかる現像装置Ｄ（又はＤ’）を搭載した画像形成装置。【選択図】  図４
2006267204.tif 000002
【特許請求の範囲】
【請求項１】
静電潜像担持体上に画像情報に応じて静電潜像を形成し、該静電潜像を現像装置を用いて現像する画像形成装置のための、スクリューコンベアを採用した現像剤循環方式の現像装置であり、
現像剤をコンベア軸方向に搬送して静電潜像現像に供するための第１スクリューコンベアと、
現像剤を該第１スクリューコンベアとは反対方向に搬送して循環させるための第２スクリューコンベアと、
該第１、第２スクリューコンベアの間に設けら、現像剤を第１スクリューコンベアから第２スクリューコンベアへ移動させるための第１開口部及び現像剤を第２スクリューコンベアから第１スクリューコンベアへ移動させるための第２開口部を有するとともに、該第１スクリューコンベアとの間に現像剤貯留部を提供する隔壁と、
該現像剤貯留部の現像剤量を検出するための現像剤量検出部と、
該現像剤量検出部が該現像剤貯留部の現像剤量がエンプティであると検出しているとき、前記第２スクリューコンベアにより搬送される循環トナーへトナーを補給するトナー補給部と、
前記第２開口部の現像剤通過流量を制御するための流量制御部材とを備えており、
該流量制御部材は、前記トナー補給部によるトナー補給にあたり、前記循環トナーを前記第２スクリューコンベアが設けられている領域に溜めて補給トナーと該循環トナーの混合を促すように該第２開口部の現像剤通過流量を制御する部材であることを特徴とする現像装置。
【請求項２】
前記流量制御部材は、現像剤の粉圧に応じて前記第２開口部を開閉する弁体である請求項１記載の現像装置。
【請求項３】
前記流量制御部材は、前記第２開口部を開閉するように前記隔壁に沿って往復動可能のシャッター部材である請求項１記載の現像装置。
【請求項４】
前記流量制御部材は、前記第２開口部の現像剤通過流量制御動作に伴って前記現像剤量検出部を清掃する請求項１、２又は３記載の現像装置。
【請求項５】
前記第２開口部は、複数の散点形成された開口で提供されている請求項１から４のいずれかに記載の現像装置。
【請求項６】
静電潜像担持体上に画像情報に応じて静電潜像を形成し、該静電潜像を現像装置を用いて現像する画像形成装置であって、該現像装置として、請求項１から５のいずれかに記載の現像装置を備えたことを特徴とする画像形成装置。
【発明の詳細な説明】
【技術分野】
【０００１】
本発明は、複写機、プリンタ、フアクシミリ機、これらの２以上を組み合わせた複合機等の画像形成装置、特に、静電潜像担持体上に画像情報に応じて静電潜像を形成し、該静電潜像を現像装置を用いて現像する画像形成装置及びかかる画像形成装置に用いられる現像装置に関する。
【背景技術】
【０００２】
静電潜像担持体上に画像情報に応じて静電潜像を形成し、該静電潜像を現像装置を用いて現像するタイプの画像形成装置においては、かかる現像装置として種々のタイプのものが採用されており、その一つとして、現像剤循環方式の現像装置が知られている。
【０００３】
現像装置は、現像装置内で静電潜像の現像を行う現像ローラにトナーを供給するのであるが、循環方式の現像装置では、トナーを現像ローラに供給するとともに余剰のトナーを再び現像ローラに供給するように循環使用する。
【０００４】
例えば、特開平８−１４６７６５号公報は、現像ローラに平行に配置され、互いに反対方向に現像剤を搬送する２本のスクリューコンベアのうち一方を用いて現像剤を現像ローラに供給しつつ、他方を用いて余剰の現像剤を循環使用するスクリューコンベアによる循環方式の現像装置を開示している。
【０００５】
ところで、いずれのタイプの現像装置を採用するにせよ、トナー消費に伴ってトナーを補給する必要がある。前記の現像剤循環型の現像装置においても、通常、トナー消費に伴ってトナーを補給できるようになっている。
スクリューコンベアを採用した循環方式の現像装置においては、該トナーの補給は、通常、循環使用されるトナーにつぎ足すようにして行われる。
【０００６】
【特許文献１】特開平８−１４６７６５号公報
【発明の開示】
【発明が解決しようとする課題】
【０００７】
しかしながら、従来の、スクリューコンベアを採用した循環方式の現像装置におけるトナー補給においては、補給トナーと循環トナーとの混合性が良好とは言えず、混合不十分なトナーが発生し、これが現像に供されることで、画像濃度ムラや地肌カブリなどの画像ノイズが発生することがある。
【０００８】
そこで本発明は、静電潜像担持体上に画像情報に応じて静電潜像を形成し、該静電潜像を現像装置を用いて現像する画像形成装置のための、スクリューコンベアを採用した現像剤循環方式の現像装置であって、循環トナーと補給トナーとの混合性が良好で、それだけ画像濃度ムラや地肌カブリなどの画像ノイズの発生を抑制することができる現像装置を提供することを課題とする。
【０００９】
また、本発明は、静電潜像担持体上に画像情報に応じて静電潜像を形成し、該静電潜像を現像装置を用いて現像する画像形成装置であって、現像装置へのトナー補給に起因する画像濃度ムラや地肌カブリなどの画像ノイズの発生を抑制することができる画像形成装置を提供することを課題とする。
【課題を解決するための手段】
【００１０】
本発明はかかる課題を解決するため、
静電潜像担持体上に画像情報に応じて静電潜像を形成し、該静電潜像を現像装置を用いて現像する画像形成装置のための、スクリューコンベアを採用した現像剤循環方式の現像装置であり、
現像剤をコンベア軸方向に搬送して静電潜像現像に供するための第１スクリューコンベアと、
現像剤を該第１スクリューコンベアとは反対方向に搬送して循環させるための第２スクリューコンベアと、
該第１、第２スクリューコンベアの間に設けら、現像剤を第１スクリューコンベアから第２スクリューコンベアへ移動させるための第１開口部及び現像剤を第２スクリューコンベアから第１スクリューコンベアへ移動させるための第２開口部を有するとともに、該第１スクリューコンベアとの間に現像剤貯留部を提供する隔壁と、
該現像剤貯留部の現像剤量を検出するための現像剤量検出部と、
該現像剤量検出部が該現像剤貯留部の現像剤量がエンプティであると検出しているとき、前記第２スクリューコンベアにより搬送される循環トナーへトナーを補給するトナー補給部と、
前記第２開口部の現像剤通過流量を制御するための流量制御部材とを備えており、
該流量制御部材は、前記トナー補給部によるトナー補給にあたり、前記循環トナーを前記第２スクリューコンベアが設けられている領域に溜めて補給トナーと該循環トナーの混合を促すように該第２開口部の現像剤通過流量を制御する部材である現像装置を提供する。
【００１１】
本発明の現像装置によると、現像剤が現像剤貯留部にある正常な状態では、第１スクリューコンベアにより現像剤をコンベア軸方向に搬送し、該コンベアの各部から現像剤を静電潜像現像に供することができる。このようにして第１スクリューコンベアにより搬送される現像剤のうち現像に供されなかった余剰の現像剤は、第１スクリューコンベアの回転により隔壁の第１開口部から第２スクリューコンベアへ送り込まれ、第２スクリューコンベアにより隔壁の第２開口部の方へ循環せしめられ、第２開口部から第１スクリューコンベアへ供給され、再び現像に供される。
【００１２】
現像装置の使用を重ねることでトナーが消費され、現像剤貯留部がエンプティ状態になると、現像剤量検出部がこれを検出し、該検出に基づき、トナー補給部からトナーが補給され始める。また、このトナー補給にあたっては、流量制御部材により、第２スクリューコンベアで循環している循環トナーを該第２スクリューコンベアの設けられている領域に溜めるように隔壁の第２開口部における現像剤通過量を制御できる。これにより、少なくなっている循環トナーとトナー補給部から補給される補給トナー、特に少なくなっている循環トナーに加えられる補給初期のトナーとの混合をそれだけ時間をかけて良好に行うことができ、該良好に混合されたトナーを現像に供することができる。かくして、それだけ画像濃度ムラや地肌カブリなどの画像ノイズを抑制することができる。
【００１３】
前記現像剤流量制御部材として、例えば、現像剤の粉圧に応じて前記第２開口部を開閉する弁体や、前記第２開口部を開閉するように前記隔壁に沿って往復動可能のシャッター部材を挙げることができる。
【００１４】
また、流量制御部材は、前記第２開口部の現像剤の通過流量制御動作に伴って前記現像剤量検出部を清掃するものでもよい。
【００１５】
第２開口部は一つの開口により提供されていてもよいが、前記流量制御部材による現像剤の第２開口部通過量制御をより正確、円滑に行えるように、複数の散点形成された開口（複数の点在する開口）で提供されていてもよい。
【００１６】
本発明は、また、前記課題を解決するために次の画像形成装置を提供する。すなわち、  静電潜像担持体上に画像情報に応じて静電潜像を形成し、該静電潜像を現像装置を用いて現像する画像形成装置であって、該現像装置として、以上説明した本発明に係るいずれかの現像装置を備えた画像形成装置である。
【００１７】
本発明に係る画像形成装置は現像装置として本発明に係る現像装置を備えていることで、現像装置へのトナー補給に起因する画像濃度ムラや地肌カブリなどの画像ノイズの発生を抑制することができる。
【発明の効果】
【００１８】
以上説明したように本発明によると、静電潜像担持体上に画像情報に応じて静電潜像を形成し、該静電潜像を現像装置を用いて現像する画像形成装置のための、スクリューコンベアを採用した現像剤循環方式の現像装置であって、循環トナーと補給トナーとの混合性が良好で、それだけ画像濃度ムラや地肌カブリなどの画像ノイズの発生を抑制することができる現像装置を提供できる。
【００１９】
また、本発明によると、静電潜像担持体上に画像情報に応じて静電潜像を形成し、該静電潜像を現像装置を用いて現像する画像形成装置であって、現像装置へのトナー補給に起因する画像濃度ムラや地肌カブリなどの画像ノイズの発生を抑制することができる画像形成装置を提供できる。
【発明を実施するための最良の形態】
【００２０】
以下、本発明の実施形態について説明する。
図１は本発明に係る画像形成装置の１例を示している。この画像形成装置は静電潜像担持体として、図中反時計方向回りに回転駆動される感光体ドラムＰＣを有している。この感光体ドラムＰＣの周囲に帯電装置ＣＨ、現像装置Ｄ、転写ローラＴＲ、クリーニング装置ＣＬ及びイレーサＩＲがこの順序で配置されている。感光体ドラムＰＣの上方には、原稿画像に対応する画像露光を感光体ドラムＰＣに施す画像露光装置ＩＥが設けられている。現像装置Ｄは本発明に係る現像装置の１例である。
【００２１】
この画像形成装置によると、回転駆動される感光体ドラムＰＣ表面が帯電装置ＣＨにより一様に帯電され、その帯電域に画像露光装置ＩＥから画像露光が施され、それにより感光体ドラムＰＣ上に静電潜像が形成される。この、静電潜像は現像装置Ｄにより現像され、可視トナー像となる。
【００２２】
一方、図示省略の記録媒体（転写紙等）供給部から、感光体ドラムＰＣ上の静電潜像と同期をとって記録媒体Ｓが供給され、この記録媒体Ｓ上に感光体ドラムＰＣ上の静電潜像が、転写ローラＴＲにより転写される。転写されたトナー像は図示省略の定着装置により記録媒体Ｓに定着される。
転写後、感光体ドラムＰＣ上に残留する現像剤はクリーニング装置ＣＬにより清掃され、残留電荷はイレーサＩＲにより消去される。
【００２３】
現像装置Ｄは、図２にも示すように、現像部１の上にバッファ部２を連設し、このバッファ部にトナー補給部６を接続したものである。なお、図２は図３におけるＸ−Ｘ線に沿う断面図である。
【００２４】
現像部１は、第１スクリューコンベア１１、その前方の現像剤供給回転部材１２、さらにその前方の現像ローラ１３及び現像ローラに当接する現像剤規制部材１４を備えている。スクリューコンベア１１、回転部材１２及び現像ローラ１３の回転軸は平行であり、これらはそれぞれ図示省略の駆動部により回転駆動される。
【００２５】
スクリューコンベア１１の回転によりコンベア軸方向に搬送される現像剤（ここではトナーＴ）は、その搬送途中でコンベア各部から現像ローラ側へ供給される恰好となり、現像剤供給回転部材１２により現像ローラ１３の表面へ供給される。現像ローラ表面に供給されたトナーＴは現像剤規制部材１４と現像ローラ１３表面の間を通過することで所定厚さのトナー薄層とされるとともに摩擦帯電され、感光体ドラムＰＣ上の静電潜像の現像に供される。このとき、現像ローラ１３には図示省略の電源から現像バイアス電圧が印加される。
【００２６】
バッファ部２には、前記第１スクリューコンベア１１と平行に第２スクリューコンベア２１が設けられており、このコンベアも図示省略の駆動部により回転駆動される。
第１、第２のスクリューコンベア１１、２１の間には隔壁３が設けられており、この隔壁３により現像部１とバッファ部２とが仕切られている。
【００２７】
図３から図５に示すように、隔壁３には第１開口部３１と第２開口部３２が形成されている。第１スクリューコンベア１１は現像部１におけるトナーＴを第２開口部３２側から第１開口部３１側へ搬送し、第１開口部３１から第２スクリューコンベア２１へ送り込む。第２スクリューコンベア２１は、トナーＴを第１開口部３１側から第２開口部３２側へ、さらに、第２開口部３２から下方の現像部１へ循環させることができる。第１スクリューコンベア１１はこのように循環するトナーＴを再び現像に供することができる。
【００２８】
現像部１は、隔壁３と第１スクリューコンベア１１との間に現像剤貯留部１０を含んでおり、隔壁３の下面には、第２開口部３２の傍に現像剤量検出部４が設けられている。検出部４は現像剤貯留部１０におけるトナーＴがエンプティか否かを検出するためのものであり、発光部４１と受光部４２からなり、受光部４２が発光部４１からの発光を検出することでトナーエンプティを検出する。発光部４１からの光を検出しないとき、現像剤貯留部１０にはトナーがあると判断される。検出部４の発光部４１及び受光部４２は開口部３２の両側に設けてあり、従って、開口部３２から現像部１へ落下してくるトナーも検出できる。
【００２９】
また、隔壁３の下面には弾性復元力のある可撓性の板状弁体５が片持ち支持されており、この弁体５は、開口部３２上方の現像剤粉圧に応じて開口部３２を開閉する。また、該開閉動作に伴って前記発光部４１の発光面及び受光部４２の受光面を拭き掃除する。
【００３０】
トナー補給部６は、補給トナーを収容するホッパ６０、ホッパ内のトナー攪拌回転部材６１及び補給トナーをホッパ６０の出口６０１へ搬送するスクリューコンベア６２を含んでいる。さらに、補給トナーを、図３〜図５に示すように、バッファ部２の前記第２開口部３２側の端部に導くダクト６３及び該ダクトの横方向下端部内に設けられたスクリューコンベア６４を含んでいる。
【００３１】
スクリューコンベア６４は、バッファ部２における第２スクリューコンベア２１の回転軸を延長し、この延長軸にスクリューを設けたもので、コンベア２１とは反対側に補給トナーを搬送し、第２スクリューコンベア２１で搬送される循環トナーに補給トナーを衝突、混合させる。
【００３２】
以上説明した現像装置Ｄによると、図３に示すように、トナーＴが現像剤貯留部１０にある正常な状態では、弁体５が隔壁開口部３２上方のトナーＴの粉圧により下方へ撓んで開口部３２を十分開いている。そして、第１スクリューコンベア１１により、現像部１中のトナーＴをコンベア軸方向に搬送し、該コンベアの各部からトナーＴを感光体ドラムＰＣ上の静電潜像の現像に供することができる。
【００３３】
このようにして第１スクリューコンベア１１により搬送されるトナーＴのうち現像に供されなかった余剰のトナーは、第１スクリューコンベア１１の回転により隔壁３の第１開口部３１から第２スクリューコンベア２１へ送り込まれ、第２スクリューコンベア２１により隔壁３の第２開口部３２の方へ循環せしめられ、第２開口部３２から第１スクリューコンベア１１へ供給され、再び現像に供される。
【００３４】
現像装置Ｄの使用を重ねることでトナーＴが消費され、現像剤貯留部１０がエンプティ状態になると、図４に示すように、弁体５に対するトナー粉圧が減少し、弁体５はその弾性復元力で開口部３２を閉じる。また、現像剤量検出部４がトナーエンプティを検出し、このトナーエンプティ検出情報が制御部Ｃｏｎｔに入力され、制御部Ｃｏｎｔはトナー補給部６にトナー補給を指示する。かくして、トナー補給部６からトナーが補給され始める。
【００３５】
また、弁体５が第２開口部３２を閉じることで、バッファ部２において第２スクリューコンベア２１により第２開口部３２側へ搬送されてくる循環トナーが開口部３２上方のトナー混合領域に溜まり、この溜まった循環トナーに補給トナーが供給される。かくして、循環トナーと補給トナーは、それだけ時間をかけて良好に混合される。
【００３６】
第２開口部３２上方の混合領域におけるトナー量が増し、その粉圧が増加してくると、図５に示すように、弁体５がその粉圧で開き、開口部３２から現像部１へ、よく混合された循環トナーと補給トナーが供給され、現像に供される。
【００３７】
また、このように現像部１へ供給されるトナーは検出部４において検出され、その検出により制御部Ｃｏｎｔはトナー補給部６のホッパ６０における攪拌回転部材６１やスクリューコンベア６２を停止させる。しかし、このときまでに、既に、現像剤貯留部１０を満杯又は略満杯にさせ得る量の補給トナーがトナー補給部６の縦方向ダクト６３に溜められており、ダクト下端部のスクリューコンベア６４は回転を続けるので、トナー補給は引き続き行われ、それにより現像剤貯留部１０はそのうち満杯又はほぼ満杯状態になる。
【００３８】
かかる現像装置Ｄや、これを採用した図１の画像形成装置では、現像装置Ｄへのトナー補給に際して、補給トナーと循環トナー、特に、現像剤貯留部１０のエンプティ状態により少なくなっている循環トナーと、これに混合される補給トナーの初期のものとの混合が良好になされ、それだけ、トナー補給に起因する画像濃度ムラや地肌カブリといった画像ノイズの発生を抑制することができる。
【００３９】
図６から図８は本発明に係る現像装置の他の例を示している。
この現像装置Ｄ’は、先に説明した現像装置Ｄにおいて、弁体５に代えて、シャッタ部材５１を採用し、これを駆動部５２で隔壁３に沿って往復動させることで、第２開口部３２を開閉できるようにしたものである。
これ以外の点は現像装置Ｄと同構成であり、現像装置Ｄにおける部品、部分と同じ部品、部分には現像装置Ｄと同じ参照符号を付してある。
【００４０】
現像装置Ｄ’によると、図６に示すように、トナーＴが現像剤貯留部１０にある正常な状態では、検出部４によるその状態の検出に基づいて制御部Ｃｏｎｔが駆動部５２に指示してシャッタ部材５１を隔壁開口部３２を開く位置に配置する。かくして、コンベア１１により、現像部１中のトナーＴを静電潜像の現像に供しつつ、現像に供されなかった余剰のトナーを第２スクリューコンベア２１により循環再使用できる。
【００４１】
現像装置Ｄ’の使用を重ねることでトナーＴが消費され、現像剤貯留部１０がエンプティ状態になると、図７に示すように、現像剤量検出部４がトナーエンプティを検出し、このトナーエンプティ検出情報が制御部Ｃｏｎｔに入力され、制御部Ｃｏｎｔはシャッタ駆動部５２にシャッタ部材５１を閉じ位置に配置するよう指示するとともにトナー補給部６にトナー補給を指示する。
【００４２】
かくして、隔壁３の第２開口部３２がシャッタ部材５１で閉じられるとともにトナー補給部６からトナーが補給され始める。
開口部３２がシャッタ部材５１で閉じられることにより、バッファ部２において第２スクリューコンベア２１により第２開口部３２側へ搬送されてくる循環トナーが開口部３２上方のトナー混合領域に溜まり、この溜まった循環トナーに補給トナーが供給される。溜められた循環トナーと補給トナー、特に補給初期のものとがよく混合された頃に（本例では制御部Ｃｏｎｔ内に設定された、シャッタ部材が閉じてからカウントされる所定時間の経過により）、制御部Ｃｏｎｔは駆動部５２に指示してシャッタ部材５１を開位置に後退させる。
【００４３】
かくして、循環トナーと補給トナーは、それだけ時間をかけて良好に混合され、よく混合された状態で現像部１へ供給され、現像に供される。。
また、このように現像部１へ供給されるトナーは検出部４において検出され、その検出により制御部Ｃｏｎｔはトナー補給部６のホッパ６０における攪拌回転部材６１やスクリューコンベア６２を停止させる。このときまでに、既に、現像剤貯留部１０を満杯又は略満杯にさせ得る量の補給トナーがトナー補給部６の縦方向ダクト６３に溜められており、ダクト下端部のスクリューコンベア６４は回転を続けるので、トナー補給は引き続き行われ、それにより現像剤貯留部１０はそのうち満杯又はほぼ満杯状態になる。
【００４４】
かかる現像装置Ｄ’や、これを採用した画像形成装置では、現像装置Ｄ’へのトナー補給に際して、補給トナーと循環トナー、特に、現像剤貯留部１０のエンプティ状態により少なくなっいる循環トナーと、これに混合される補給トナーの初期のものとの混合が良好になされ、それだけ、トナー補給に起因する画像濃度ムラや地肌カブリといった画像ノイズの発生を抑制することができる。
【００４５】
図９は隔壁３の第２開口部３２の他の例３２’を示している。開口部３２’は散点状に形成された複数の開口３２１により提供されている。このように散点状に形成された複数の開口により提供される開口部を採用すれば、弁体５或いはシャッタ部材５１による開口部の開閉が現像剤の抵抗少なく、正確、円滑に行える利点がある。
なお、以上説明した現像装置は１成分現像装置であるが、本発明はトナーとキャリアからなる現像剤を用いる２成分現像装置にも適用できる。
【産業上の利用可能性】
【００４６】
本発明は、画像濃度ムラや地肌カブリ等の画像ノイズの抑制された高品質の画像を形成することに利用できる。
【図面の簡単な説明】
【００４７】
【図１】本発明に係る画像形成装置例の概略を示す図である。
【図２】図１の画像形成装置に採用されている本発明に係る現像装置の１例の、図３のＸ−Ｘ線に沿う断面図である。
【図３】図２の現像装置において、現像剤が十分ある状態の説明図である。
【図４】図２の現像装置において、トナーエンプティになった状態の説明図である。
【図５】図２の現像装置において、トナーが補給される様子を示す図である。
【図６】本発明に係る現像装置の他の例において、現像剤が十分ある状態の説明図である。
【図７】図６の現像装置において、トナーエンプティになった状態の説明図である。
【図８】図６の現像装置において、トナーが補給される様子を示す図である。
【図９】上下スクリューコンベア間の隔壁におけるトナー補給側開口部の他の例を示す図である。
【符号の説明】
【００４８】
ＰＣ  感光体ドラム
ＣＨ  帯電装置
ＴＲ  転写ローラ
ＣＬ  クリーニング装置
ＩＲ  イレーサ
ＩＥ  画像露光装置
Ｄ、Ｄ’  現像装置
１  現像部
１１  第１スクリューコンベア
１２  現像剤供給回転部材
１３  現像ローラ
１４  トナー規制部材
１０  現像剤貯留部
２  バッファ部
２１  第２スクリューコンベア
３  隔壁
３１  第１開口部
３２、３２’  第２開口部
３２１  開口
４    現像剤量検出部
４１  発光部
４２  受光部
５  弁体
５１  シャッタ部材
５２  シャッタ部材の駆動部
６  トナー補給部
６０  ホッパ
６１  トナー攪拌回転部材
６２  スクリューコンベア
６３  ダクト
６４  ダクト６３の横方向下端部内スクリューコンベア
Ｃｏｎｔ  制御部
Ｔ  トナー
【図１】
2006267204.tif 000003
【図２】
2006267204.tif 000004
【図３】
2006267204.tif 000005
【図４】
2006267204.tif 000006
【図５】
2006267204.tif 000007
【図６】
2006267204.tif 000008
【図７】
2006267204.tif 000009
【図８】
2006267204.tif 000010
【図９】
2006267204.tif 000011